(57)【要約】      （修正有）【課題】搬送や保管等のように筒状として使用しないときはかさばらず、筒状として使用する際には簡単かつ迅速に筒状にすることができる中空の筒体を提供する。【解決手段】両主表面を有する第１シート２１の一主表面と、両主表面を有する第２シート２２の一主表面と、が互いに面するよう、間隔を空けた第１固定線３１及び第２固定線３２に沿って第１シートと第２シートとが固定された中空の筒体であって、第１シートが、第１シートの他主表面に存する閉じた曲線の一部である切断線に沿って切断され、該閉じた曲線のうち切断線を除く残部である折曲線に沿って第２シートの一主表面である内面に向かって折り曲げられた舌部２５を備え、舌部の縁部の少なくとも一部が、第２シートの内面に当接するもので、中空の筒体である。【選択図】図２
0003162565.tif 000002
【実用新案登録請求の範囲】
【請求項１】
両主表面を有する第１シートの一主表面と、両主表面を有する第２シートの一主表面と、が互いに面するよう、間隔を空けた第１固定線及び第２固定線に沿って第１シートと第２シートとが固定された中空の筒体であって、
第１シートが、第１シートの他主表面に存する閉じた曲線の一部である切断線に沿って切断され、該閉じた曲線のうち切断線を除く残部である折曲線に沿って第２シートの一主表面である内面に向かって折り曲げられた舌部を備え、
舌部の縁部の少なくとも一部が、第２シートの内面に当接するものである、中空の筒体。
【請求項２】
第１シートと第２シートとが、第１固定線に沿って折り曲げられると共に第２固定線に沿って両縁部が接合された一体のシートによって構成されるものである、請求項１に記載の中空の筒体。
【請求項３】
第１固定線及び第２固定線が略平行なものである、請求項１又は２に記載の中空の筒体。
【請求項４】
舌部の縁部が、第２シートの内面に存する曲線又は直線に沿って連続的に第２シートの内面に当接するものである、請求項１乃至３のいずれか１に記載の中空の筒体。
【請求項５】
舌部の縁部の、第２シートの内面に当接する前記少なくとも一部が、外方に向けて凸の曲線形状をなすものである、請求項４に記載の中空の筒体。
【請求項６】
折曲線が曲線に沿ったものである、請求項１乃至５のいずれか１に記載の中空の筒体。
【請求項７】
折曲線が円弧に沿ったものである、請求項６に記載の中空の筒体。
【請求項８】
第１シート及び第２シートが紙によって形成されるものである、請求項１乃至７のいずれか１に記載の中空の筒体。
【請求項９】
請求項１乃至８のいずれか１に記載の中空の筒体を形成する筒体形成物であって、切断線に沿って切断された第１シートの一主表面と第２シートの一主表面とが互いに面し、第１シートと第２シートとが第１固定線及び第２固定線に沿って固定され重合された、筒体形成物。
【請求項１０】
折曲線に沿って第１シートの他の部分に比して強度が弱い部分が形成されたものである、請求項９に記載の筒体形成物。
【考案の詳細な説明】
【技術分野】
【０００１】
本考案は、中空の筒体に関し、より詳細には、搬送や保管等のように筒状として使用しないときはかさばらず、筒状として使用する際には簡単かつ迅速に筒状にすることができる中空の筒体に関する。
【背景技術】
【０００２】
中空の筒体は、種々の分野に用いられている（例えば、特許文献１参照）。
特許文献１は、「筒体の一端の開口と他端の開口とを結ぶ線である接合線に沿って一対の縁部が接合される板状部材により形成され、高い強度を有する中空の筒体を提供する」（特許文献１、考案の詳細な説明中、段落番号０００５）ためになされたものであり、具体的には「当該筒体の一端の開口と他端の開口とを結ぶ線である接合線に沿って一対の縁部が接合される板状部材により形成される中空の筒体であって、一対の縁部のうち一方の縁部に沿った折返し線に沿って板状部材が内部方向に折り返されることで、筒体の内部方向に突出するように形成される一方の折返し部分と、一対の縁部のうち他方の縁部に沿った折返し線に沿って板状部材が内部方向に折り返されることで、筒体の内部方向に突出するように形成される他方の折返し部分と、を備えてなり、板状部材が有する両主表面のうち筒体の外面に連続する面が互いに面するよう両方の折返し部分が互いに固定されるものである、中空の筒体」（特許文献１、考案の詳細な説明中、段落番号０００６）が開示されている。
【先行技術文献】
【特許文献】
【０００３】
【特許文献１】登録実用新案第３１５０６５７号公報（例えば、要約、段落番号０００１〜０００７、第１図〜第３図等）
【考案の概要】
【考案が解決しようとする課題】
【０００４】
このような特許文献１に開示された中空の筒体によれば、「板状部材が有する両主表面のうち筒体の外面に連続する面が互いに面するよう両方の折返し部分が互いに固定されることで、互いに固定された両方の折返し部分が、筒体の一端の開口と他端の開口とを結ぶ線である接合線に沿った筒体の内部方向に突出する補強リブとして機能するので、高い強度を有する中空の筒体とすることができる」（特許文献１、考案の詳細な説明中、段落番号０００７最後部）が、搬送や保管等のように筒状として使用する必要がないときも中空の筒体をなしているものであり、搬送や保管等のように筒状として使用しないときにかさばるという問題があった。
そこで、本考案では、搬送や保管等のように筒状として使用しないときはかさばらず、筒状として使用する際には簡単かつ迅速に筒状にすることができる中空の筒体を提供することを目的とする。
【課題を解決するための手段】
【０００５】
本考案の中空の筒体（以下、「本筒体」という。）は、両主表面を有する第１シートの一主表面と、両主表面を有する第２シートの一主表面と、が互いに面するよう、間隔を空けた第１固定線及び第２固定線に沿って第１シートと第２シートとが固定された中空の筒体であって、第１シートが、第１シートの他主表面に存する閉じた曲線の一部である切断線に沿って切断され、該閉じた曲線のうち切断線を除く残部である折曲線に沿って第２シートの一主表面である内面に向かって折り曲げられた舌部を備え、舌部の縁部の少なくとも一部が、第２シートの内面に当接するものである、中空の筒体である。
【０００６】
本筒体は、両主表面を有する第１シートと、両主表面を有する第２シートと、を含んでなる。第１シートの両主表面のうち一主表面と、第２シートの両主表面のうち一主表面と、が互いに面するように第１シートと第２シートとが互いに固定されている。第１シートと第２シートとは、間隔を空けた第１固定線（直線及び曲線のいずれに沿ったものでもよい）及び第２固定線（直線及び曲線のいずれに沿ったものでもよい）に沿って固定されていることで、第１固定線と第２固定線との間の両シート（第１シート及び第２シート）によって中空の筒体（中空の筒体の内面は、第１シートの該一主表面と第２シートの該一主表面とによって形成される。）が形成されている。そして、本筒体は、第１シートが、第１シートの他主表面（第１シートの両主表面のうち、中空の筒体の外面を形成する面）に存する閉じた曲線（一部に線分や角部を含んでもよい）の一部である切断線に沿って切断されることで舌部が形成される（無論、切断線の両端を線分で結んだとき、該線分と切断線とによって第１シートの他主表面の一部の領域が取り囲まれる必要がある。）。舌部は、折曲線（該閉じた曲線のうち切断線を除く残部）に沿って第２シートの一主表面である内面（中空の筒体の内部空間側）に折り曲げられることで、舌部の縁部（切断線に沿って切断された縁）の少なくとも一部が、第２シートの内面（中空の筒体の内面を構成する）に当接する。
このように第１シートが有する舌部が第２シートの内面に当接することで、中空の筒体の内面を構成する第１シートの該一主表面と第２シートの該一主表面とが押し広げられた状態を保持し、筒状として使用する際には中空の筒形状を安定して保持できる。そして、搬送や保管等のように筒状として使用しないときは、第１シートが有する舌部の第２シートの内面への当接を解くことで（例えば、舌部と、舌部を除く第１シートの部分と、が同一平面に属するようにする）、第１シートの該一主表面と第２シートの該一主表面とが互いに面し（ほぼ接するようにしてもよい）第１シートと第２シートとを重合させることができ、そうすればかさばらない状態（板状）とすることができる。以上のように、本筒体においては、舌部を折曲線の周りに折り曲げたりのばしたりすることで（折曲線の周りに舌部を回動させる）、舌部を第２シート内面に当接させたり（筒状）、当接を解いたり（板状）を自由にできるので、搬送や保管等のように筒状として使用しないときはかさばらず（板状）、筒状として使用する際には簡単かつ迅速に筒状にすることができる。
【０００７】
本筒体においては、第１シートと第２シートとが、第１固定線に沿って折り曲げられると共に第２固定線に沿って両縁部が接合された一体のシートによって構成されるものであってもよい。
本筒体を構成する第１シートと第２シートとは別体であってもよいが、第１シートとなる部分と第２シートとなる部分とを含む一体のシートによって構成することもできる。該一体のシートにより第１シートと第２シートとを構成するには、該一体のシートを第１固定線（となるべき部分）に沿って折り曲げると共に第２固定線（となるべき部分）に沿って該一体のシートの両縁部を接合（例えば、接着、融着、ステープラによる固定等）するようにすればよい。本筒体を構成する第１シートと第２シートとを別体のシートによって構成する場合に比し、一体のシートによって構成すれば、第１シートと第２シートとの接合作業が少なくて済むので（別体で構成する場合には第１固定線と第２固定線との両方に沿って両縁部を接合する必要があるが、一体のシートによって構成する場合には第２固定線に沿った接合のみで足りる。）、本筒体を容易かつ安価に構成することができる。
【０００８】
本筒体においては、第１固定線及び第２固定線が略平行なものであってもよい。
こうすることで第１シートが有する舌部が第２シートの内面に対して垂直方向から当接しやすくなるので、第２シートの内面に当接した舌部の位置が不意に移動しにくくなることから、中空の筒体の内面を構成する第１シートの該一主表面と第２シートの該一主表面とが押し広げられた状態を保持しやすくなり、本筒体を筒状として使用する際に中空の筒形状が安定して保持できる。
【０００９】
本筒体においては、舌部の縁部が、第２シートの内面に存する曲線又は直線に沿って連続的に第２シートの内面に当接するもの（以下、「連続当接本筒体」という。）であってもよい。
こうすることで第１シートが有する舌部の縁部が、曲線又は直線に沿って連続的に第２シートの内面に当接するので、第２シートの内面に当接した舌部の位置が不意に移動しにくくなることから、舌部が第２シートの内面に当接した状態を確実に保持でき、中空の筒体の内面を構成する第１シートの該一主表面と第２シートの該一主表面とが押し広げられた状態を保持しやすくなり、本筒体を筒状として使用する際に中空の筒形状が安定して保持できる。
【００１０】
連続当接本筒体の場合、舌部の縁部の、第２シートの内面に当接する前記少なくとも一部が、外方に向けて凸の曲線形状をなすものであってもよい。
こうすることで第１シートが有する舌部の縁部が外方に向けて凸の曲線形状を有し、外方に向けて凸の曲線形状をなす部分が第２シートの内面に沿ってうまく当接することで（第２シートの内面も外方に向けて凸の形状となりやすい）、第２シートの内面に当接した舌部の位置が不意に移動しにくくなることから、舌部が第２シートの内面に当接した状態を確実に保持でき、中空の筒体の内面を構成する第１シートの該一主表面と第２シートの該一主表面とが押し広げられた状態を保持しやすくなり、本筒体を筒状として使用する際に中空の筒形状が安定して保持できる。
【００１１】
本筒体においては、折曲線が曲線に沿ったもの（以下、「曲線折曲本筒体」という。）であってもよい。
こうすることで、折曲線に沿って第２シートの該一主表面である内面（中空の筒体の内部側）に向かって折り曲げられた舌部が、第１シートから第２シートに向けて突出する方向に対して垂直な断面において湾曲した断面形状を有するので、該突出する方向に沿った力を舌部が受けた際（第１シートの該一主表面と第２シートの該一主表面とが押し広げられた状態を舌部が保持する際には、該突出する方向に沿った圧縮力を舌部は受ける。）の強度を向上させ、中空の筒体の内面を構成する第１シートの該一主表面と第２シートの該一主表面とが押し広げられた状態をうまく保持し、本筒体を筒状として使用する際に中空の筒形状が安定して保持できる。
【００１２】
曲線折曲本筒体の場合、折曲線が円弧に沿ったものであってもよい。
折曲線が沿う曲線としては、折曲線の両端間の区間で（連続的に）微分可能な曲線であることが好ましいが、とりわけ円弧であることが好ましい。折曲線が円弧に沿う場合、第１シートの該一主表面と第２シートの該一主表面とが押し広げられた状態を舌部が保持する際に受ける圧縮力に対する舌部の強度を一層向上させることができる。
【００１３】
本筒体においては、第１シート及び第２シートが紙によって形成されるものであってもよい。
本筒体を構成する第１シート及び第２シートは、様々な材料によって形成でき、例えば、紙（ボール紙、厚紙等を含む）、合成樹脂、天然樹脂、金属等を例示できるが、紙製とすれば、軽量、安価、高リサイクル性の本筒体とすることができる。
【００１４】
前述の通り、本筒体は、搬送や保管等のように筒状として使用しないときは、第１シートが有する舌部の第２シートの内面への当接を解き、第１シートの該一主表面と第２シートの該一主表面とが互いに面し（ほぼ接するようにしてもよい）第１シートと第２シートとを重合させることによって、搬送や保管等に適したかさばらない状態（板状）とすることができる。かかる状態では、切断線に沿って切断された第１シートの一主表面と第２シートの一主表面とが互いに面し、第１シートと第２シートとが第１固定線及び第２固定線に沿って固定され重合されたものであり、それ（本筒体を形成するための筒体形成物）は、第１シートが有する舌部を折曲線に沿って折り曲げ第２シートの内面に当接させることで本筒体を構成することができる。
【００１５】
本筒体を形成するための筒体形成物においては、折曲線に沿って第１シートの他の部分に比して強度が弱い部分が形成されたものであってもよい。
こうすることで、舌部を折曲線に沿って折り曲げ第２シートの内面に当接させる際に、舌部を折曲線に沿って容易かつ迅速に折り曲げることができる。
なお、折曲線に沿って第１シートの他の部分に比して強度が弱い部分とは、例えば、折曲線に沿って形成されたミシン目や折曲線に沿って形成された凹溝等を例示できる。
【図面の簡単な説明】
【００１６】
【図１】本考案の一実施形態の中空の筒体（本筒体）を示す斜視図である。
【図２】本筒体の平面図である。
【図３】図２のＢ−Ｂ断面図である。
【図４】図２のＣ−Ｃ断面図である。
【図５】本筒体を形成する筒体形成物を示す図である。
【考案を実施するための形態】
【００１７】
本考案の実施の形態を図面を参照して詳述するが、本考案はこれに限定されるものではない。
【００１８】
図１は、本考案の一実施形態の中空の筒体（本筒体）１１を示す斜視図であり、図２は本筒体１１の平面図（図１中、矢印Ａ方向から見たところを示している。）であり、図３は図２のＢ−Ｂ断面図であり、図４は図２のＣ−Ｃ断面図であり、そして図５は本筒体１１を形成する筒体形成物５１を示す図（詳細には、図５（ａ）は筒体形成物５１の正面図であり、図５（ｂ）は筒体形成物５１の平面図（図５（ａ）中の矢印Ｅ方向から見たところを示している。）であり、図５（ｃ）は筒体形成物５１の背面図（図５（ａ）の反対方向から見たところを示している）である。）である。図１乃至図５を参照して、本筒体１１及びそれを形成する筒体形成物５１について説明する。なお、本筒体１１は、ここでは外面に広告及び／又は宣伝が表示される広告宣伝表示体として用いられるものである。また、ここでは図示及び理解を容易にするため、後述のシート２０の厚みを実際よりも大きく図示している。
【００１９】
本筒体１１及び筒体形成物５１は、厚紙によって形成されたシート２０（両主表面とも略長方形を形成する）によって形成されており、具体的には、シート２０は、第１固定線３１（シート２０の両主表面が形成する略長方形の短辺に略平行とされる）に沿って折られると共に第２固定線３２（シート２０の両主表面が形成する略長方形の一対の短辺に沿った線とされる）に沿って両縁部が接着（接合）されており、それによって本筒体１１においては内部空間１３を有する中空な筒体を形成している。なお、第１固定線３１と第２固定線３２とは略平行とされている。
このようにシート２０は、第１固定線３１によって第１固定線３１の両側に分割されており、分割された一方側が第１シート２１を構成し、分割された他方側が第２シート２２を構成している。
第１シート２１は、本筒体１１の内面（内部空間１３を規定する面）の一部を構成する一主表面２１ａと、本筒体１１の外面の一部を構成する他主表面２１ｂと、を有している。
第２シート２２は、本筒体１１の内面（内部空間１３を規定する面）の一部を構成する一主表面２２ａと、本筒体１１の外面の一部を構成する他主表面２２ｂと、を有している。
【００２０】
第１シート２１は、第１シート２１の他主表面２１ｂに存する閉じた曲線４１の一部である切断線４１ａに沿って切断されることで舌部２５が形成されており、本筒体１１においては、閉じた曲線４１のうち切断線４１ａを除く残部である折曲線４１ｂに沿って第２シート２２の一主表面２２ａである内面に向かって舌部２５は折り曲げられている。そして、舌部２５の先端側の縁部２５ｃは、外方に向けて凸の曲線形状（ここでは円弧の一部）をなすものであり、舌部２５の先端側の縁部２５ｃが、第２シート２２の内面（２２ａ）に縁部２５ｃの全長にわたって連続して当接している。なお、ここでは切断線４１ａは、平行かつ長さが等しい一対の線分部分と、一対の線分部分の両端を結ぶ円弧部分と、を有して構成されているが、この円弧部分による切断によって縁部２５ｃが形成されている。
なお、ここでは折曲線４１ｂに沿ってミシン目が形成されており（特に図５（ａ）参照）、これにより折曲線４１ｂに沿って舌部２５は容易に折り曲げられることができる。また、折曲線４１ｂは、円弧の一部に沿ったものである。
また、図２に示すように、舌部２５の先端側の縁部２５ｃの部分に、図示しない指が係合可能な切り欠き部２５ｈ（点線にて示した）を形成してもよく、そうすれば切り欠き部２５ｈ（点線）に指をかけて舌部２５を移動させ、舌部２５の先端側の縁部２５ｃを第２シート２２の内面（２２ａ）にうまく当接させることができる。
【００２１】
このような本筒体１１は、搬送や保管等のように筒状として使用しないときは、第１シート２１が有する舌部２５の第２シート２２の内面２２ａへの当接を解き、第１シート２１の一主表面２１ａと第２シート２２の一主表面２２ａとが互いに面しほぼ接するようにして第１シート２１と第２シート２２とを重合させることによって、図５のような筒体形成物５１として搬送や保管等に適したかさばらない状態（図５のように板状）とすることができる。
そして、逆に、図５のような筒体形成物５１は、第１シート２１が有する舌部２５を折曲線４１ｂに沿って折り曲げ第２シート２２の内面２２ａに当接させることで本筒体１１を構成することができる。
このように本筒体１１と筒体形成物５１との両状態の間を容易かつ迅速に変化させることができるので、本筒体１１は、搬送や保管等のように筒状として使用しないときは筒体形成物５１とすることでかさばらず、筒状として使用する際には筒体形成物５１から簡単かつ迅速に筒状にすることで本筒体１１とすることができる。
【００２２】
以上説明したように、本筒体１１は、両主表面２１ａ、２１ｂを有する第１シート２１の一主表面２１ａと、両主表面２２ａ、２２ｂを有する第２シート２２の一主表面２２ａと、が互いに面するよう、間隔を空けた第１固定線３１及び第２固定線３２に沿って第１シート２１と第２シート２２とが固定された中空の筒体であって、第１シート２１が、第１シート２１の他主表面２１ｂに存する閉じた曲線４１の一部である切断線４１ａに沿って切断され、該閉じた曲線４１のうち切断線４１ａを除く残部である折曲線４１ｂに沿って第２シート２２の一主表面２２ａである内面に向かって折り曲げられた舌部２５を備え、舌部２５の縁部の少なくとも一部（ここでは先端側の縁部２５ｃ）が、第２シート２２の内面２２ａに当接するものである、中空の筒体である。
【００２３】
そして、本筒体１１においては、第１シート２１と第２シート２２とが、第１固定線３１に沿って折り曲げられると共に第２固定線３２に沿って両縁部が接合された一体のシート２０によって構成されるものである。
本筒体１１においては、第１固定線３１及び第２固定線３２が略平行なものである。
本筒体１１においては、舌部２５の縁部（先端側の縁部２５ｃ）が、第２シート２２の内面２２ａに存する曲線又は直線（ここでは円弧の一部である曲線）に沿って連続的に第２シート２２の内面２２ａに当接するものである。
本筒体１１においては、舌部２５の縁部の、第２シート２２の内面２２ａに当接する前記少なくとも一部（先端側の縁部２５ｃ）が、外方に向けて凸の曲線形状（ここでは舌部２５の表面に中心を有する円周の一部たる円弧）をなすものである。
本筒体１１においては、折曲線４１ｂが曲線（ここでは円弧）に沿ったものである。
本筒体１１においては、第１シート２１及び第２シート２２が紙（厚紙）によって形成されるものである（シート２０が厚紙により形成されている）。
【００２４】
さらに、筒体形成物５１は、本筒体１１を形成する筒体形成物であって、切断線４１ａに沿って切断された第１シート２１の一主表面２１ａと第２シート２２の一主表面２２ａとが互いに面し、第１シート２１と第２シート２２とが第１固定線３１及び第２固定線３２に沿って固定され重合された、筒体形成物である。
筒体形成物５１においては、折曲線４１ｂに沿って第１シート２１の他の部分に比して強度が弱い部分（ここではミシン目）が形成されたものである。
【符号の説明】
【００２５】
１１        本筒体
１３        内部空間
２０        シート
２１        第１シート
２１ａ      一主表面
２１ｂ      他主表面
２２        第２シート
２２ａ      一主表面
２２ｂ      他主表面
２５        舌部
２５ｃ      先端側の縁部
３１        第１固定線
３２        第２固定線
４１        閉じた曲線
４１ａ      切断線
４１ｂ      折曲線
５１        筒体形成物
【図１】
0003162565.tif 000003
【図２】
0003162565.tif 000004
【図３】
0003162565.tif 000005
【図４】
0003162565.tif 000006
【図５】
0003162565.tif 000007
【手続補正書】
【提出日】平成22年7月7日(2010.7.7)
【手続補正１】
【補正対象書類名】実用新案登録請求の範囲
【補正対象項目名】請求項１
【補正方法】変更
【補正の内容】
【請求項１】
両主表面を有する第１シートの一主表面と、両主表面を有する第２シートの一主表面と、が互いに面するよう、間隔を空けた第１固定線及び第２固定線に沿って第１シートと第２シートとが固定されることで第１固定線と第２固定線との間の第１シート及び第２シートによって形成された中空の筒体であって、
第１シートが、第１シートの他主表面に存する閉じた曲線の一部である切断線に沿って切断され、該閉じた曲線のうち切断線を除く残部である折曲線に沿って第２シートの一主表面である内面に向かって折り曲げられた舌部を備え、
舌部の縁部の少なくとも一部が、第２シートの内面に当接するものである、中空の筒体。
【手続補正２】
【補正対象書類名】明細書
【補正対象項目名】０００５
【補正方法】変更
【補正の内容】
【０００５】
本考案の中空の筒体（以下、「本筒体」という。）は、両主表面を有する第１シートの一主表面と、両主表面を有する第２シートの一主表面と、が互いに面するよう、間隔を空けた第１固定線及び第２固定線に沿って第１シートと第２シートとが固定されることで第１固定線と第２固定線との間の第１シート及び第２シートによって形成された中空の筒体であって、第１シートが、第１シートの他主表面に存する閉じた曲線の一部である切断線に沿って切断され、該閉じた曲線のうち切断線を除く残部である折曲線に沿って第２シートの一主表面である内面に向かって折り曲げられた舌部を備え、舌部の縁部の少なくとも一部が、第２シートの内面に当接するものである、中空の筒体である。
【手続補正３】
【補正対象書類名】明細書
【補正対象項目名】００２２
【補正方法】変更
【補正の内容】
【００２２】
以上説明したように、本筒体１１は、両主表面２１ａ、２１ｂを有する第１シート２１の一主表面２１ａと、両主表面２２ａ、２２ｂを有する第２シート２２の一主表面２２ａと、が互いに面するよう、間隔を空けた第１固定線３１及び第２固定線３２に沿って第１シート２１と第２シート２２とが固定されることで第１固定線３１と第２固定線３２との間の第１シート２１及び第２シート２２によって形成された中空の筒体であって、第１シート２１が、第１シート２１の他主表面２１ｂに存する閉じた曲線４１の一部である切断線４１ａに沿って切断され、該閉じた曲線４１のうち切断線４１ａを除く残部である折曲線４１ｂに沿って第２シート２２の一主表面２２ａである内面に向かって折り曲げられた舌部２５を備え、舌部２５の縁部の少なくとも一部（ここでは先端側の縁部２５ｃ）が、第２シート２２の内面２２ａに当接するものである、中空の筒体である。